(57)【要約】【課題】  指針の指示部の発光輝度を高めることにより、視認性、および表示品位を向上させることが可能な指針式計器装置を提供する。【解決手段】  表示器２と、表示器２の背後に配設される駆動本体３と、駆動本体３の出力軸３ａに装着される指針４と、を備えた指針式表示装置であって、指針４は、表示器２の前面側より前方に位置する指示部４ａを備えるとともに、指示部４ａは、表示器２の対向面に設けられ表示器２から発せられる光を受光する受光部４ｃと、受光部４ｃで受光した光を出射する光出射部４ｆと、を備えたものである。【選択図】  図２
2010008306.tif 000002
【特許請求の範囲】
【請求項１】
表示器と、前記表示器の背後に配設される駆動本体と、前記駆動本体の出力軸に装着される指針と、を備えた指針式表示装置であって、前記指針は少なくとも前記表示器の前面側に位置する指示部を備えるとともに、前記指示部は前記表示器の前面もしくは側面から発せられる光を受光する受光部と、前記受光部で受光した光を出射する光出射部とを備えたことを特徴とする指針式表示装置。
【請求項２】
前記指示部は、少なくとも前記受光部から入射した光を前記指示部の先端方向へ反射させる第一の反射部と、前記第一の反射部によって反射した光を前記光出射部へ反射させる第二の反射部とを備えたことを特徴とする請求項１に記載の指針式表示装置。
【請求項３】
前記第二の反射面に光反射調節部を設けたことを特徴とする請求項１に記載の指針式表示装置。
【請求項４】
前記光反射調節部がシボであることを特徴とする請求項３に記載の指針式表示装置。
【請求項５】
前記光反射調節部がミゾであることを特徴とする請求項３に記載の指針式表示装置。
【請求項６】
前記光反射調節部がドットであることを特徴とする請求項３に記載の指針式表示装置。
【請求項７】
前記第二の反射部からの光の指向特性を変化させる光指向特性変更部を前記光出射部に設けたことを特徴とする請求項１に記載の指針式表示装置。
【請求項８】
前記光指向特性変更部がシボであることを特徴とする請求項７に記載の指針式表示装置。
【請求項９】
前記光指向特性変更部がミゾであることを特徴とする請求項７に記載の指針式表示装置。
【請求項１０】
前記光指向特性変更部がレンズであることを特徴とする請求項７に記載の指針式表示装置。
【請求項１１】
前記光指向特性変更部がドットであることを特徴とする請求項７に記載の指針式表示装置。
【発明の詳細な説明】
【技術分野】
【０００１】
本発明は、例えば、指針と文字板とを備えた指針式計器装置に関するもので、特に前記指針の回動中心に表示器を備えた指針式計器装置に関する。
【背景技術】
【０００２】
従来の指針式計器装置は、表示器と、前記表示器の背後に配設される駆動本体と、前記駆動本体の出力軸に装着され、前記表示器の前面側より前方に位置する指示部を備えた構成であった（例えば、下記特許文献１参照）。
【特許文献１】特開２００６−１１８８９２号公報
【発明の開示】
【発明が解決しようとする課題】
【０００３】
しかしながら、このような指針式計器装置にあっては、前記指針の前記指示部を光輝させる場合、前記駆動本体の出力軸近傍に光源が配設されることが一般的であり、前記光源からの出射光は、前記表示器の背面側で受光し、前記表示器を迂回するように前記指針の内部を導光し、前記指示部から出光する。しかしながら、前記指針内部の導光経路が長く、また、光を反射する反射面が多い等の理由から、前記光源からの出射光を十分に導光できず、前記指示部の発光輝度が不足することで、前記指針の視認性、および表示品位が低下してしまうことが問題となっていた。
【０００４】
そこで、本発明は前述した問題点に着目し、指針の指示部の発光輝度を高めることにより、視認性、および表示品位を向上させることが可能な指針式表示装置を提供するものである。
【課題を解決するための手段】
【０００５】
本発明は、表示器と、前記表示器の背後に配設される駆動本体と、前記駆動本体の出力軸に装着される指針と、を備えた指針式表示装置であって、前記指針は少なくとも前記表示器の前面側に位置する指示部を備えるとともに、前記指示部は前記表示器の前面もしくは側面から発せられる光を受光する受光部と、前記受光部で受光した光を出射する光出射部とを備えたものである。
【０００６】
また、本発明は、前記指示部は、少なくとも前記受光部から入射した光を前記指示部の先端方向へ反射させる第一の反射部と、前記第一の反射部によって反射した光を前記光出射部へ反射させる第二の反射部とを備えたものである。
【０００７】
また、本発明は、前記第二の反射面に光反射調節部を設けたものである。
【０００８】
また、本発明は、前記光反射調節部がシボである。
【０００９】
また、本発明は、前記光反射調節部がミゾである。
【００１０】
また、本発明は、前記光反射調節部がドットである。
【００１１】
また、本発明は、前記第二の反射部からの光の指向特性を変化させる光指向特性変更部を前記光出射部に設けたものである。
【００１２】
また、本発明は、前記光指向特性変更部がシボである。
【００１３】
また、本発明は、前記光指向特性変更部がミゾである。
【００１４】
また、本発明は、前記光指向特性変更部がレンズである。
【００１５】
また、本発明は、前記光指向特性変更部がドットである。
【発明の効果】
【００１６】
本発明によれば、所期の目的を達成でき、指針の指示部の発光輝度を高めることにより、視認性、および表示品位を向上させることが可能な指針式表示装置を提供することができる。
【発明を実施するための最良の形態】
【００１７】
以下に、本発明の第１実施形態を添付図面に基づいて説明する。図１は指針式表示装置１の正面図、図２は、図１のＸ−Ｘ線の断面図である。
【００１８】
本実施形態の指針式表示装置１は、例えば自動車のダッシュボードに搭載されるコンビネーションメータを構成するものである。コンビネーションメータとは、本願発明の指針式表示装置１などの計器を複数備えたものであり、通常、３〜４個の計器を備えている。本実施形態の指針式表示装置１は、車両の走行速度を指針で指示するものであり、中央の表示器で、様々な情報（例えば、外気温情報、走行距離情報、燃費情報からなる車両情報や例えばナビゲーション情報からなる交通情報）を表示するものである。
【００１９】
本実施形態の指針式表示装置１は、主に表示器２と、駆動本体３と、指針４とで構成されている。なお、５は、上ケースであり、６は、基板である。
【００２０】
表示器２は、表示素子２ａと、発光体２ｂと、導光部材２ｃと、フレーム２ｄとで構成されている。なお、この表示器２は、前面側（運転者側）に、文字板７を備えている。
【００２１】
表示素子２ａは、例えばＳＴＮ（Super Twisted Nematic）やＴＮ（Twisted Nematic）等の液晶表示素子を用いている。
【００２２】
発光体２ｂは、例えば、発光ダイオードなどであり、表示素子２ａを照明するものである。発光体２ｂは、図示しない回路基板と電気的に接続されており、図示しない電源からの電力が回路基板を通じて供給されて発光する。なお、本実施形態においては、文字板７と指針４とを照明する。
【００２３】
導光部材２ｃは、透明な合成樹脂からなり、発光体１の光を表示素子２ａ、文字板７および指針４に導くものである。導光部材２ｃは、発光体１の光を受光する受光部２ｅと、表示素子２ａ、文字板７および指針４に受光した光を出す出光部２ｆ、２ｇ、２ｈとを備えている。
【００２４】
フレーム２ｄは、遮光性の合成樹脂からなる２つの部品から構成されており、表示素子２ａ、発光体２ｂ、導光部材２ｃを収納し保持するものである。また、フレーム２ｄには、貫通孔２ｊが複数設けられている。この貫通孔２ｊは、表示素子２ａ、発光体２ｂ、導光部材２ｃ、そして、指針４に発光体２ｂからの光を供給するためのものである。なお、表示素子２ａと導光部材２ｃとの間に設けられた３つの板状の部品２ｋは、光拡散シート、やプリズムシートなどの光学部材である。
【００２５】
なお、表示素子２ａが有機ＥＬ（エレクトロルミネセンス）素子などの自ら光を出す素子の場合は、発光体２ｂと導光部材３を設ける必要はなくなり、有機ＥＬ素子が発する光で、文字板７と指針４とを照明することができる。
【００２６】
文字板７は、板状の光を透過可能な合成樹脂からなる。文字板７は、指針４が指示する目盛と、目盛に付随する文字などからなる文字板意匠７ａを備えている。この文字板意匠７ａは、光が透過可能であり、発光体２ｂより照射される光を透過する。これより、文字板意匠７ａが光輝する。また、文字板７の文字板意匠７ａ以外は、印刷などの適宜手段によって遮光層が形成されている。また、文字板７は、表示素子２ａが露出する貫通した孔からなる窓部７ｂを備えている。
【００２７】
駆動本体３は、例えば、ステッピングモータなどのモータである。駆動本体３は基板の背面に配置され、出力軸３ａを介して指針４を回動させる。
【００２８】
上ケース５は、遮光性の合成樹脂からなり、指針式表示装置１の不要部分を遮蔽する開口５ａが形成されている。この開口５ａからは、表示素子２ａ、文字板７および指針４が露出している。
【００２９】
基板６は、ガラスエポキシ樹脂などの硬質の基材からなる硬質の回路基板であり、その背面には駆動本体３が装着されている。駆動本体３の出力軸３ａは、基板６を貫通して前方に延び、指針４に接続されている。
【００３０】
指針４は、指示部ｃ２と非視認指示部４ａとで構成されている。指示部４ａは、光を透過可能な合成樹脂からなり、非視認指示部（指示部保持部）４ｂは、遮光性の合成樹脂からなり、指示部４ａと非視認指示部４ｂとは、接合されている。
【００３１】
指示部４ａは、表示器２の前面側より前方に位置するとともに、受光部４ｃと、第一の反射部４ｄと、第二の反射部４ｅおよび光出射部４ｆとを備えている。
【００３２】
受光部４ｃは、表示器２から発せられる光を受光し、指示部４ａ内に光を取り入れるものである。本実施形態では、受光部４ｃは、表示器２側に突出した突出部４ｇの先端に設けられており、そして、表示器２の前面側に対向している。受光部４ｃが対向する表示器２には、表示器２のフレーム２ｄに設けた貫通孔２ｊが設けられおり、この貫通孔２ｊから発光体２ｂの光が供給される。
【００３３】
第一の反射部４ｄは、受光部４ｃから入射した光を指示部４ａの先端方向へ、特に、本実施形態では、第二の反射部４ｅへ反射させるものである。
【００３４】
第二の反射部４ｅは、第一の反射部４ｄによって反射した光を光出射部４ｆの方向に反射させるものである。
【００３５】
光出射部４ｆは、受光部４ｃで受光した光を出射するものであり、第二の反射部４ｅで反射された光を前記運転者に出すものである。
【００３６】
第二の反射部４ｅには、光反射調節部が設けられている。この光反射調節部は、運転者側、つまり、光出射部４ｆ側へ反射する光を調節するものであり、本実施形態の光反射調節部は、図３で示すように、指示部４ａの長手方向に対して垂直方向に形成された微細な複数のミゾである。この複数のミゾ間の頂点は、断面の角度が約９０度である。光を集光する作用を果たすものである。そして、導光経路が奥に行くほど、すなわち、指示部４ａの先端に近づくほどミゾの本数を多くしてある。これにより、導光量が小さい奥側においても手前側と同様の光量を光出射部４ｆの方向に反射することができ、照明ムラなく光輝することが可能となっている。また、微細な複数のミゾを指示部４ａの長手方向に対して垂直方向に形成したことによって、ミゾによって形成される反射面を光の導光方向に対して対向させることができ、光を良好に集光することができる。
【００３７】
なお、第二の反射部４ｅに設ける光反射調節部は、前述したミゾの他に、シボ、凹部からなるドットなどで形成してもよい。
【００３８】
光反射調節部にシボを採用した場合は、光を拡散する作用を果たすものであり、また、光反射調節部にドットを採用した場合は、シボに比べて光の拡散を抑え、ドットに形成した反射面によって、光を集光することができ、光を高輝度に反射することができる。なお、シボ、ドットとも、指示部４ａの先端に近づくほど形成される密度は密である。
【００３９】
また、光出射部４ｆには、光指向特性変更部が設けられている。この光指向特性変更部は、光出射部４ｆから出る光を調節するものであり、本実施形態の光指向特性変更部は、図４で示すように、指示部４ａの長手方向に沿って形成された微細なミゾである。この複数のミゾ間の頂点は、断面の角度が約９０度である。光を集光する作用を果たすものである。この光指向特性変更部によって、第二の反射部４ｅからの光の指向特性を変化させることができ、指示部４ａを正面視した場合に、高輝度な発光を実現することができる。
【００４０】
なお、光出射部４ｆに設ける光指向特性変更部は、前述したミゾの他に、シボ、凸レンズおよび凹部からなるドットなどで形成してもよい。
【００４１】
光指向特性変更部にシボを採用した場合は、光を拡散する作用を果たすものである。光指向特性変更部に凸レンズを採用した場合は、光を集光する作用を果たすものである。そして、光指向特性変更部にドットを採用した場合は、シボに比べて光の拡散を抑え、ドットに形成した反射面によって、光を集光することができ、光を高輝度に出射することができる。
【００４２】
なお、本実施形態の受光部４ｃは、表示器２側に突出した突出部４ｇの先端に設けたものであったが、本実施形態に限定されるものではなく、第二の反射面４ｅと同一平面であってもよい。
【００４３】
非視認指示部４ｂは、遮光性の合成樹脂で形成することに限定されるものではなく、金属などで形成してもよい。
【００４４】
以上のように構成したことによって、指針４の指示部４ａの導光経路を短縮し、かつ、光を反射する反射面を削減することで、発光体２ｂからの光を十分に導光できて指示部４ａより出光する光束量が増し、指示部４ａの発光輝度を高めることができ、指示部４ａの視認性、および表示品位を向上させることができる。
【００４５】
また、光指向特性変更部を光出射部４ｆに設けたことによって、指示部４ａから出光する光束量を調節し、輝度ムラを抑え、表示品位を向上させることができる。
【００４６】
また、第二の反射面４ｅに光反射調節部を設けたことによって、指示部４ａから出光する光束量を調節し、輝度ムラを抑え、表示品位を向上させることができる。
【００４７】
次に本発明の第２実施形態を図５を用いて説明する。なお、前記実施形態と同一および相当個所には同一符号を付して、その詳細な説明は省略する。
【００４８】
本実施形態では、導光部材２ｃの指針４の受光部４ｃに対応する部分が、受光部４ｃに近接した突出部２ｍを備えている。突出部２ｍの先端には、出光部２ｈを備えている。受光部４ｃと出光部２ｈとを近接させることによって、導光部材２ｃから出た光を受けるときの損失を抑えることができる。
【００４９】
次に本発明の第３実施形態を図６を用いて説明する。なお、前記各実施形態と同一および相当個所には同一符号を付して、その詳細な説明は省略する。
【００５０】
本実施形態では、表示器２の側面に指針４に向けて光を出射する出光部２ｎを備えている。また、指針４は、第一反射部４ｄから出力軸３ａの軸方向と平行に基板６側に伸びた延長部４ｈを備えており、この延長部４ｈの先端に、受光部４ｉと反射部４ｊとを備えている。受光部４ｉは、導光部材２ｃの出光部２ｎから出た光を受けるものである。反射部４ｊは、受光部４ｉで受けた光を第一の反射部４ｄに反射するものである。このように構成したことによって、指針４の指示部４ａの導光経路を短縮し、かつ、光を反射する反射面を削減することで、発光体２ｂからの光を十分に導光できて指示部４ａより出光する光束量が増し、指示部４ａの発光輝度を高めることができ、指示部４ａの視認性、および表示品位を向上させることができる。
【図面の簡単な説明】
【００５１】
【図１】本発明の第１実施形態の指針式表示装置の正面図。
【図２】図１のＸ−Ｘ線の断面図。
【図３】指示部の断面図。
【図４】図３のＹ−Ｙ線の断面図。
【図５】本発明の第２実施形態の指針式表示装置の正面図。
【図６】本発明の第３実施形態の指針式表示装置の正面図。
【符号の説明】
【００５２】
１      指針式表示装置
２      表示器
３      駆動本体
３ａ    出力軸
４      指針
４ａ    指示部
４ｃ    受光部
４ｄ    第一反射部
４ｅ    第二反射部
４ｆ    光出射部
４ｉ    受光部
【図１】
2010008306.tif 000003
【図２】
2010008306.tif 000004
【図３】
2010008306.tif 000005
【図４】
2010008306.tif 000006
【図５】
2010008306.tif 000007
【図６】
2010008306.tif 000008
【手続補正書】
【提出日】平成20年6月30日(2008.6.30)
【手続補正１】
【補正対象書類名】特許請求の範囲
【補正対象項目名】全文
【補正方法】変更
【補正の内容】
【特許請求の範囲】
【請求項１】
表示器と、前記表示器の背後に配設される駆動本体と、前記駆動本体の出力軸に装着される指針と、を備えた指針式計器装置であって、前記指針は少なくとも前記表示器の前面側に位置する指示部を備えるとともに、前記指示部は前記表示器の前面もしくは側面から発せられる光を受光する受光部と、前記受光部で受光した光を出射する光出射部とを備えたことを特徴とする指針式計器装置。
【請求項２】
前記指示部は、少なくとも前記受光部から入射した光を前記指示部の先端方向へ反射させる第一の反射部と、前記第一の反射部によって反射した光を前記光出射部へ反射させる第二の反射部とを備えたことを特徴とする請求項１に記載の指針式計器装置。
【請求項３】
前記第二の反射面に光反射調節部を設けたことを特徴とする請求項２に記載の指針式計器装置。
【請求項４】
前記光反射調節部がシボであることを特徴とする請求項３に記載の指針式計器装置。
【請求項５】
前記光反射調節部がミゾであることを特徴とする請求項３に記載の指針式計器装置。
【請求項６】
前記光反射調節部がドットであることを特徴とする請求項３に記載の指針式計器装置。
【請求項７】
前記第二の反射部からの光の指向特性を変化させる光指向特性変更部を前記光出射部に設けたことを特徴とする請求項２に記載の指針式計器装置。
【請求項８】
前記光指向特性変更部がシボであることを特徴とする請求項７に記載の指針式計器装置。
【請求項９】
前記光指向特性変更部がミゾであることを特徴とする請求項７に記載の指針式計器装置。
【請求項１０】
前記光指向特性変更部がレンズであることを特徴とする請求項７に記載の指針式計器装置。
【請求項１１】
前記光指向特性変更部がドットであることを特徴とする請求項７に記載の指針式計器装置。
【手続補正２】
【補正対象書類名】明細書
【補正対象項目名】全文
【補正方法】変更
【補正の内容】
【発明の詳細な説明】
【技術分野】
【０００１】
本発明は、例えば、指針と文字板とを備えた指針式計器装置に関するもので、特に前記指針の回動中心に表示器を備えた指針式計器装置に関する。
【背景技術】
【０００２】
従来の指針式計器装置は、表示器と、前記表示器の背後に配設される駆動本体と、前記駆動本体の出力軸に装着され、前記表示器の前面側より前方に位置する指示部を備えた構成であった（例えば、下記特許文献１参照）。
【特許文献１】特開２００６−１１８８９２号公報
【発明の開示】
【発明が解決しようとする課題】
【０００３】
しかしながら、このような指針式計器装置にあっては、前記指針の前記指示部を光輝させる場合、前記駆動本体の出力軸近傍に光源が配設されることが一般的であり、前記光源からの出射光は、前記表示器の背面側で受光し、前記表示器を迂回するように前記指針の内部を導光し、前記指示部から出光する。しかしながら、前記指針内部の導光経路が長く、また、光を反射する反射面が多い等の理由から、前記光源からの出射光を十分に導光できず、前記指示部の発光輝度が不足することで、前記指針の視認性、および表示品位が低下してしまうことが問題となっていた。
【０００４】
そこで、本発明は前述した問題点に着目し、指針の指示部の発光輝度を高めることにより、視認性、および表示品位を向上させることが可能な指針式計器装置を提供するものである。
【課題を解決するための手段】
【０００５】
本発明は、表示器と、前記表示器の背後に配設される駆動本体と、前記駆動本体の出力軸に装着される指針と、を備えた指針式計器装置であって、前記指針は少なくとも前記表示器の前面側に位置する指示部を備えるとともに、前記指示部は前記表示器の前面もしくは側面から発せられる光を受光する受光部と、前記受光部で受光した光を出射する光出射部とを備えたものである。
【０００６】
また、本発明は、前記指示部は、少なくとも前記受光部から入射した光を前記指示部の先端方向へ反射させる第一の反射部と、前記第一の反射部によって反射した光を前記光出射部へ反射させる第二の反射部とを備えたものである。
【０００７】
また、本発明は、前記第二の反射面に光反射調節部を設けたものである。
【０００８】
また、本発明は、前記光反射調節部がシボである。
【０００９】
また、本発明は、前記光反射調節部がミゾである。
【００１０】
また、本発明は、前記光反射調節部がドットである。
【００１１】
また、本発明は、前記第二の反射部からの光の指向特性を変化させる光指向特性変更部を前記光出射部に設けたものである。
【００１２】
また、本発明は、前記光指向特性変更部がシボである。
【００１３】
また、本発明は、前記光指向特性変更部がミゾである。
【００１４】
また、本発明は、前記光指向特性変更部がレンズである。
【００１５】
また、本発明は、前記光指向特性変更部がドットである。
【発明の効果】
【００１６】
本発明によれば、所期の目的を達成でき、指針の指示部の発光輝度を高めることにより、視認性、および表示品位を向上させることが可能な指針式計器装置を提供することができる。
【発明を実施するための最良の形態】
【００１７】
以下に、本発明の第１実施形態を添付図面に基づいて説明する。図１は指針式計器装置１の正面図、図２は、図１のＸ−Ｘ線の断面図である。
【００１８】
本実施形態の指針式計器装置１は、例えば自動車のダッシュボードに搭載されるコンビネーションメータを構成するものである。コンビネーションメータとは、本願発明の指針式計器装置１などの計器を複数備えたものであり、通常、３〜４個の計器を備えている。本実施形態の指針式計器装置１は、車両の走行速度を指針で指示するものであり、中央の表示器で、様々な情報（例えば、外気温情報、走行距離情報、燃費情報からなる車両情報や例えばナビゲーション情報からなる交通情報）を表示するものである。
【００１９】
本実施形態の指針式計器装置１は、主に表示器２と、駆動本体３と、指針４とで構成されている。なお、５は、上ケースであり、６は、基板である。
【００２０】
表示器２は、表示素子２ａと、発光体２ｂと、導光部材２ｃと、フレーム２ｄとで構成されている。なお、この表示器２は、前面側（運転者側）に、文字板７を備えている。
【００２１】
表示素子２ａは、例えばＳＴＮ（Super Twisted Nematic）やＴＮ（Twisted Nematic）等の液晶表示素子を用いている。
【００２２】
発光体２ｂは、例えば、発光ダイオードなどであり、表示素子２ａを照明するものである。発光体２ｂは、図示しない回路基板と電気的に接続されており、図示しない電源からの電力が回路基板を通じて供給されて発光する。なお、本実施形態においては、文字板７と指針４とを照明する。
【００２３】
導光部材２ｃは、透明な合成樹脂からなり、発光体１の光を表示素子２ａ、文字板７および指針４に導くものである。導光部材２ｃは、発光体１の光を受光する受光部２ｅと、表示素子２ａ、文字板７および指針４に受光した光を出す出光部２ｆ、２ｇ、２ｈとを備えている。
【００２４】
フレーム２ｄは、遮光性の合成樹脂からなる２つの部品から構成されており、表示素子２ａ、発光体２ｂ、導光部材２ｃを収納し保持するものである。また、フレーム２ｄには、貫通孔２ｊが複数設けられている。この貫通孔２ｊは、表示素子２ａ、発光体２ｂ、導光部材２ｃ、そして、指針４に発光体２ｂからの光を供給するためのものである。なお、表示素子２ａと導光部材２ｃとの間に設けられた３つの板状の部品２ｋは、光拡散シート、やプリズムシートなどの光学部材である。
【００２５】
なお、表示素子２ａが有機ＥＬ（エレクトロルミネセンス）素子などの自ら光を出す素子の場合は、発光体２ｂと導光部材３を設ける必要はなくなり、有機ＥＬ素子が発する光で、文字板７と指針４とを照明することができる。
【００２６】
文字板７は、板状の光を透過可能な合成樹脂からなる。文字板７は、指針４が指示する目盛と、目盛に付随する文字などからなる文字板意匠７ａを備えている。この文字板意匠７ａは、光が透過可能であり、発光体２ｂより照射される光を透過する。これより、文字板意匠７ａが光輝する。また、文字板７の文字板意匠７ａ以外は、印刷などの適宜手段によって遮光層が形成されている。また、文字板７は、表示素子２ａが露出する貫通した孔からなる窓部７ｂを備えている。
【００２７】
駆動本体３は、例えば、ステッピングモータなどのモータである。駆動本体３は基板の背面に配置され、出力軸３ａを介して指針４を回動させる。
【００２８】
上ケース５は、遮光性の合成樹脂からなり、指針式計器装置１の不要部分を遮蔽する開口５ａが形成されている。この開口５ａからは、表示素子２ａ、文字板７および指針４が露出している。
【００２９】
基板６は、ガラスエポキシ樹脂などの硬質の基材からなる硬質の回路基板であり、その背面には駆動本体３が装着されている。駆動本体３の出力軸３ａは、基板６を貫通して前方に延び、指針４に接続されている。
【００３０】
指針４は、指示部ｃ２と非視認指示部４ａとで構成されている。指示部４ａは、光を透過可能な合成樹脂からなり、非視認指示部（指示部保持部）４ｂは、遮光性の合成樹脂からなり、指示部４ａと非視認指示部４ｂとは、接合されている。
【００３１】
指示部４ａは、表示器２の前面側より前方に位置するとともに、受光部４ｃと、第一の反射部４ｄと、第二の反射部４ｅおよび光出射部４ｆとを備えている。
【００３２】
受光部４ｃは、表示器２から発せられる光を受光し、指示部４ａ内に光を取り入れるものである。本実施形態では、受光部４ｃは、表示器２側に突出した突出部４ｇの先端に設けられており、そして、表示器２の前面側に対向している。受光部４ｃが対向する表示器２には、表示器２のフレーム２ｄに設けた貫通孔２ｊが設けられおり、この貫通孔２ｊから発光体２ｂの光が供給される。
【００３３】
第一の反射部４ｄは、受光部４ｃから入射した光を指示部４ａの先端方向へ、特に、本実施形態では、第二の反射部４ｅへ反射させるものである。
【００３４】
第二の反射部４ｅは、第一の反射部４ｄによって反射した光を光出射部４ｆの方向に反射させるものである。
【００３５】
光出射部４ｆは、受光部４ｃで受光した光を出射するものであり、第二の反射部４ｅで反射された光を前記運転者に出すものである。
【００３６】
第二の反射部４ｅには、光反射調節部が設けられている。この光反射調節部は、運転者側、つまり、光出射部４ｆ側へ反射する光を調節するものであり、本実施形態の光反射調節部は、図３で示すように、指示部４ａの長手方向に対して垂直方向に形成された微細な複数のミゾである。この複数のミゾ間の頂点は、断面の角度が約９０度である。光を集光する作用を果たすものである。そして、導光経路が奥に行くほど、すなわち、指示部４ａの先端に近づくほどミゾの本数を多くしてある。これにより、導光量が小さい奥側においても手前側と同様の光量を光出射部４ｆの方向に反射することができ、照明ムラなく光輝することが可能となっている。また、微細な複数のミゾを指示部４ａの長手方向に対して垂直方向に形成したことによって、ミゾによって形成される反射面を光の導光方向に対して対向させることができ、光を良好に集光することができる。
【００３７】
なお、第二の反射部４ｅに設ける光反射調節部は、前述したミゾの他に、シボ、凹部からなるドットなどで形成してもよい。
【００３８】
光反射調節部にシボを採用した場合は、光を拡散する作用を果たすものであり、また、光反射調節部にドットを採用した場合は、シボに比べて光の拡散を抑え、ドットに形成した反射面によって、光を集光することができ、光を高輝度に反射することができる。なお、シボ、ドットとも、指示部４ａの先端に近づくほど形成される密度は密である。
【００３９】
また、光出射部４ｆには、光指向特性変更部が設けられている。この光指向特性変更部は、光出射部４ｆから出る光を調節するものであり、本実施形態の光指向特性変更部は、図４で示すように、指示部４ａの長手方向に沿って形成された微細なミゾである。この複数のミゾ間の頂点は、断面の角度が約９０度である。光を集光する作用を果たすものである。この光指向特性変更部によって、第二の反射部４ｅからの光の指向特性を変化させることができ、指示部４ａを正面視した場合に、高輝度な発光を実現することができる。
【００４０】
なお、光出射部４ｆに設ける光指向特性変更部は、前述したミゾの他に、シボ、凸レンズおよび凹部からなるドットなどで形成してもよい。
【００４１】
光指向特性変更部にシボを採用した場合は、光を拡散する作用を果たすものである。光指向特性変更部に凸レンズを採用した場合は、光を集光する作用を果たすものである。そして、光指向特性変更部にドットを採用した場合は、シボに比べて光の拡散を抑え、ドットに形成した反射面によって、光を集光することができ、光を高輝度に出射することができる。
【００４２】
なお、本実施形態の受光部４ｃは、表示器２側に突出した突出部４ｇの先端に設けたものであったが、本実施形態に限定されるものではなく、第二の反射面４ｅと同一平面であってもよい。
【００４３】
非視認指示部４ｂは、遮光性の合成樹脂で形成することに限定されるものではなく、金属などで形成してもよい。
【００４４】
以上のように構成したことによって、指針４の指示部４ａの導光経路を短縮し、かつ、光を反射する反射面を削減することで、発光体２ｂからの光を十分に導光できて指示部４ａより出光する光束量が増し、指示部４ａの発光輝度を高めることができ、指示部４ａの視認性、および表示品位を向上させることができる。
【００４５】
また、光指向特性変更部を光出射部４ｆに設けたことによって、指示部４ａから出光する光束量を調節し、輝度ムラを抑え、表示品位を向上させることができる。
【００４６】
また、第二の反射面４ｅに光反射調節部を設けたことによって、指示部４ａから出光する光束量を調節し、輝度ムラを抑え、表示品位を向上させることができる。
【００４７】
次に本発明の第２実施形態を図５を用いて説明する。なお、前記実施形態と同一および相当個所には同一符号を付して、その詳細な説明は省略する。
【００４８】
本実施形態では、導光部材２ｃの指針４の受光部４ｃに対応する部分が、受光部４ｃに近接した突出部２ｍを備えている。突出部２ｍの先端には、出光部２ｈを備えている。受光部４ｃと出光部２ｈとを近接させることによって、導光部材２ｃから出た光を受けるときの損失を抑えることができる。
【００４９】
次に本発明の第３実施形態を図６を用いて説明する。なお、前記各実施形態と同一および相当個所には同一符号を付して、その詳細な説明は省略する。
【００５０】
本実施形態では、表示器２の側面に指針４に向けて光を出射する出光部２ｎを備えている。また、指針４は、第一反射部４ｄから出力軸３ａの軸方向と平行に基板６側に伸びた延長部４ｈを備えており、この延長部４ｈの先端に、受光部４ｉと反射部４ｊとを備えている。受光部４ｉは、導光部材２ｃの出光部２ｎから出た光を受けるものである。反射部４ｊは、受光部４ｉで受けた光を第一の反射部４ｄに反射するものである。このように構成したことによって、指針４の指示部４ａの導光経路を短縮し、かつ、光を反射する反射面を削減することで、発光体２ｂからの光を十分に導光できて指示部４ａより出光する光束量が増し、指示部４ａの発光輝度を高めることができ、指示部４ａの視認性、および表示品位を向上させることができる。
【図面の簡単な説明】
【００５１】
【図１】本発明の第１実施形態の指針式計器装置の正面図。
【図２】図１のＸ−Ｘ線の断面図。
【図３】指示部の断面図。
【図４】図３のＹ−Ｙ線の断面図。
【図５】本発明の第２実施形態の指針式計器装置の正面図。
【図６】本発明の第３実施形態の指針式計器装置の正面図。
【符号の説明】
【００５２】
１      指針式計器装置
２      表示器
３      駆動本体
３ａ    出力軸
４      指針
４ａ    指示部
４ｃ    受光部
４ｄ    第一反射部
４ｅ    第二反射部
４ｆ    光出射部
４ｉ    受光部